(57)【要約】電解水生成装置４は、電気分解される水が流入する電解室６が形成された電解槽５と、電解室６内で、互いに対向して配置された陽極給電体６１及び陰極給電体６２と、陽極給電体６１と陰極給電体６２との間に配され、かつ、電解室６を陽極給電体６１側の陽極室６ａと陰極給電体６２側の陰極室６ｂとに区分する隔膜６３と、水を濾過処理する逆浸透膜を有する逆浸透膜モジュール８と、逆浸透膜モジュール８から排出された濃縮水を陽極室６ａに供給する濃縮水供給水路９とを備える。
2016047257.tif 000002
【特許請求の範囲】
【請求項１】
電気分解される水が流入する電解室が形成された電解槽と、
前記電解室内で、互いに対向して配置された陽極給電体及び陰極給電体と、
前記陽極給電体と前記陰極給電体との間に配され、かつ、前記電解室を前記陽極給電体側の陽極室と前記陰極給電体側の陰極室とに区分する隔膜と、
水を濾過処理する逆浸透膜を有する逆浸透膜モジュールとを備えた電解水生成装置であって、
前記逆浸透膜モジュールから排出された濃縮水を前記陽極室に供給する濃縮水供給水路をさらに備えたことを特徴とする電解水生成装置。
【請求項２】
前記陽極室に水を供給する給水路は、前記濃縮水供給水路のみである請求項１記載の電解水生成装置。
【請求項３】
前記逆浸透膜モジュールは、前記電解槽の下流側に設けられ、
前記陰極室にて生成された電解水が前記逆浸透膜モジュールに供給される請求項１又は２に記載の電解水生成装置。
【請求項４】
前記逆浸透膜モジュールは、前記電解槽の上流側に設けられ、
前記逆浸透膜モジュールによって濾過処理された処理水が前記陰極室に供給される請求項１又は２に記載の電解水生成装置。
【請求項５】
前記隔膜は、固体高分子電解質膜を含む請求項１乃至４のいずれかに記載の電解水生成装置。
【請求項６】
請求項１乃至５のいずれかに記載の電解水生成装置を備え、
前記陰極室にて生成された電解水を用いて、透析原剤を混合する透析液調製用水を製造することを特徴とする透析液調製用水の製造装置。
【発明の詳細な説明】
【技術分野】
【０００１】
本発明は、電解水生成装置及びそれを備えた透析液調製用水の製造装置に関する。
【背景技術】
【０００２】
従来から、固体高分子電解質膜で仕切られた陽極室と陰極室とを有する電解槽を備え、電解槽内に流入させた原水を電気分解する電解水生成装置が知られている（例えば、特許文献１参照）。【０００３】
電解水生成装置の陰極室では、水素ガスが溶け込んだ電解水素水（以下、本明細書等では、「溶存水素水」と記す。）が生成される。また、近年、電解水生成装置で生成された溶存水素水は、血液透析治療の際に発生する活性酸素を除去し、患者の酸化ストレスの軽減に適しているとして注目されている。電解水生成装置では、溶存水素水に溶け込んだ水素ガスの濃度（溶存水素濃度）の制御が重要である。例えば、溶存水素水が血液透析に用いられる場合、陰極室で大量の水素ガスを発生させて、溶存水素濃度を高めるのが望ましいとされている。
【先行技術文献】
【特許文献】
【０００４】
【特許文献１】特許３３６５４９号公報
【０００５】
上記特許文献１に開示されている電解水生成装置にあっては、陽極室で酸素ガスが生成される。かかる酸素ガスは支燃性を有するため、酸素ガスを気体の状態で陽極室から排出するのは望ましくない。そこで、電解水生成装置では、陽極室内の水に酸素ガスを溶け込ませ、電解酸素水（以下、本明細書等では、「溶存酸素水」と記す。）として排出する技術が知られている。【０００６】
しかしながら、上述のごとく溶存水素濃度を高める場合にあっては、陽極室では大量の酸素ガスが発生するため、陽極室内の水に酸素ガスを十分に溶け込ませるためには、陽極室に供給される水量を増やす必要がある。ところが、陽極室から排出される溶存酸素水は、通常、排水として処理される。従って、高い溶存水素濃度の溶存水素水を生成する際に副次的に大量発生する酸素ガスの処理は、水の有効利用を図るうえでの足枷となっている。
【発明の概要】
【発明が解決しようとする課題】
【０００７】
本発明は、以上のような実状に鑑み案出されたもので、水の利用効率を高めつつ、高い溶存水素濃度の溶存水素水を生成することができる電解水生成装置等を提供することを主たる目的としている。
【課題を解決するための手段】
【０００８】
本願の第１発明は、電気分解される水が流入する電解室が形成された電解槽と、前記電解室内で、互いに対向して配置された陽極給電体及び陰極給電体と、前記陽極給電体と前記陰極給電体との間に配され、かつ、前記電解室を前記陽極給電体側の陽極室と前記陰極給電体側の陰極室とに区分する隔膜と、水を濾過処理する逆浸透膜を有する逆浸透膜モジュールとを備えた電解水生成装置であって、前記逆浸透膜モジュールから排出された濃縮水を前記陽極室に供給する濃縮水供給水路をさらに備えたことを特徴とする。【０００９】
本発明に係る前記電解水生成装置において、前記陽極室に水を供給する給水路は、前記濃縮水供給水路のみであることが望ましい。【００１０】
本発明に係る前記電解水生成装置において、前記逆浸透膜モジュールは、前記電解槽の下流側に設けられ、前記陰極室にて生成された電解水が前記逆浸透膜モジュールに供給されることが望ましい。【００１１】
本発明に係る前記電解水生成装置において、前記逆浸透膜モジュールは、前記電解槽の上流側に設けられ、前記逆浸透膜モジュールによって濾過処理された処理水が前記陰極室に供給されることが望ましい。【００１２】
本発明に係る前記電解水生成装置において、前記隔膜は、固体高分子電解質膜を含むことが望ましい。【００１３】
本願の第２発明は、前記電解水生成装置を備え、前記陰極室にて生成された電解水を用いて、透析原剤を混合する透析液調製用水を製造することを特徴とする透析液調製用水の製造装置である。
【発明の効果】
【００１４】
第１発明の電解水生成装置は、電気分解される水が流入する電解室が形成された電解槽と、電解室内で、互いに対向して配置された陽極給電体及び陰極給電体と、電解室を陽極給電体側の陽極室と陰極給電体側の陰極室とに区分する隔膜と、水を濾過処理する逆浸透膜を有する逆浸透膜モジュールとを備える。陰極室における電気分解と逆浸透膜モジュールにおける濾過処理とによって、不純物が除去された溶存水素水が得られる。【００１５】
このとき陽極室で副次的に生成される酸素ガスは、濃縮水供給水路を介して供給された濃縮水に溶け込んで、陽極室から排出される。従って、高い溶存水素濃度の溶存水素水を生成するときに大量発生する酸素ガスを安全な状態で電解水生成装置から排出可能となる。さらに、これまで単に排出していた濃縮水を陽極室に供給し、酸素ガスを溶け込ませて溶存酸素水を生成するために再利用しているので、水の利用効率を高めることが可能となる。【００１６】
第２発明の透析液調製用水の製造装置では、上記電解水生成装置によって生成された溶存水素水を用いて透析原剤を混合する透析液調製用水を製造する。これにより、水の利用効率を高めつつ、酸化ストレスの低減に有効な高い溶存水素濃度の透析液調製用水を製造することが可能となる。
【図面の簡単な説明】
【００１７】
【図１】本発明の透析液調製用水の製造装置の一実施形態を示すブロック図である。
【図２】本発明の電解水生成装置の一実施形態を示すブロック図である。
【図３】本発明の透析液調製用水の製造装置の別の実施形態を示すブロック図である。
【図４】本発明の電解水生成装置の別の実施形態を示すブロック図である。
【発明を実施するための形態】
【００１８】
以下、本願発明の実施の一形態が図面に基づき説明される。
図１は、本願の第１発明の電解水生成装置を備えた透析液調製用水の製造装置（第２発明）の一実施形態を示している。
【００１９】
透析液調製用水の製造装置（以下、単に「製造装置」と記すこともある。）１は、軟水化装置２と、活性炭処理装置３と、電解水生成装置４等とを備えている。
【００２０】
軟水化装置２には、水道水等の原水が供給される。原水には、一般的には水道水が利用されるが、その他、例えば、井戸水、地下水等を用いることができる。軟水化装置２は、原水からカルシウムイオン及びマグネシウムイオン等の硬度成分を除去して軟水化する。
【００２１】
活性炭処理装置３は、微細な多孔質物質である活性炭を有し、軟水化装置２から供給される水から塩素等を吸着・除去する。活性炭処理装置３を通過した水は、送水路１１を介して電解水生成装置４に送られる。
【００２２】
電解水生成装置４は、活性炭処理装置３から流入する水を電気分解して、例えば、血液透析治療に好適な溶存水素水を生成する。電解水生成装置４は、電解槽５と、加圧ポンプ７と、逆浸透膜モジュール８と、濃縮水供給水路９とを有している。逆浸透膜モジュール８は、供給された水から不純物を取り除き、浄水を生成する。従って、本発明の電解水生成装置４は、血液透析治療の他の用途にも適用可能である。
【００２３】
電解槽５には、電気分解される水が流入する電解室６が形成されている。電解室６の内部には、陽極給電体６１及び陰極給電体６２が互いに対向して配置されている。陽極給電体６１及び陰極給電体６２は、その厚さ方向で水が行き来可能に形成され、隔膜６３に当接して設けられるのが望ましい。このような陽極給電体６１及び陰極給電体６２は、例えば、エキスパンドメタル等によって構成することができる。陽極給電体６１及び陰極給電体６２には、制御回路（図示せず）等を介して直流電圧が印加される。
【００２４】
陽極給電体６１と陰極給電体６２との間には隔膜６３が配設されている。隔膜６３は、電解室６を陽極給電体６１側の陽極室６ａと陰極給電体６２側の陰極室６ｂとに区分する。
【００２５】
本実施形態では、上記送水路１１の一端は活性炭処理装置３に、他端は電解室６の陰極室６ｂにそれぞれ接続されている。従って、活性炭処理装置３を通過した水（活性炭処理水）は、送水路１１を介して電解室６のうち陰極室６ｂのみに供給される。なお、陰極室６ｂに供給された水の一部は、隔膜６３を通過して陽極室６ａに移動する。また、陽極室６ａには、後述するように、逆浸透膜モジュール８から排出された濃縮水が供給される。こうして、電解室６の陽極室６ａ及び陰極室６ｂの両方に水が供給され、陽極給電体６１及び陰極給電体６２に直流電圧が印加されることにより、電解室６内で水の電気分解が生ずる。
【００２６】
隔膜６３は、電気分解で生じたイオンを通過させる。隔膜６３を介して陽極給電体６１と、陰極給電体６２とが電気的に接続される。陽極給電体６１と陰極給電体６２との間に直流電圧が印加されると、電解室６内で水が電気分解され、電解水が得られる。
【００２７】
本実施形態では、隔膜６３として、例えば、スルホン酸基を有するフッ素系の樹脂材料からなる固体高分子電解質膜が用いられている。固体高分子電解質膜の両面には、例えば、白金からなるめっき層が形成されている。固体高分子電解質膜を隔膜６３に用いた電解槽５では、隔膜６３の陽極側と陰極側とで以下に示される反応が生ずる。
陽極側  ：  ６Ｈ２Ｏ  →  ４Ｈ３Ｏ＋  ＋  Ｏ２  ＋  ４ｅ−
陰極側  ：  ４Ｈ３Ｏ＋  ＋  ４ｅ−  →  ２Ｈ２  ＋  ４Ｈ２Ｏ
【００２８】
このとき、陽極側で生じたオキソニウムイオン４Ｈ３Ｏ＋は、固体高分子電解質膜を通過して陰極側に移動し、電子４ｅ−と結合して、水素ガス２Ｈ２が発生する。陰極側で生じた水素ガスＨ２は、陰極室６ｂ内の水に溶け込み、溶存水素水を構成する。陰極室６ｂで生じた溶存水素水は、送水路１２を介して加圧ポンプ７に送水される。
【００２９】
一方、陽極室６ａでは、酸素ガスＯ2が発生する。陽極側にて生じた酸素ガスＯ2は、陽極室６ａ内の水に溶け込み、溶存酸素水を構成する。陽極室６ａで生じた溶存酸素水は、排水路１３を介して電解水生成装置４の外部に排出される。
【００３０】
本実施形態の電解水生成装置４では、加圧ポンプ７及び逆浸透膜モジュール８は、電解槽５の下流側に設けられている。加圧ポンプ７及び逆浸透膜モジュール８は、電解水生成装置４の外部に配設されていてもよい。加圧ポンプ７は、陰極室６ｂで生じた溶存水素水を逆浸透膜モジュール８に圧送する。すなわち、加圧ポンプ７によって加圧された溶存水素水は、送水路１４を介して逆浸透膜モジュール８に供給される。
【００３１】
逆浸透膜モジュール８は、逆浸透膜（図示せず）を有している。逆浸透膜は、加圧ポンプ７によって圧送された水を濾過する。すなわち、逆浸透膜は、加圧ポンプ７によって圧送された溶存水素水から微量な金属類等の不純物を取り除き、溶存水素水を浄化する。逆浸透膜モジュール８は、加圧ポンプ７によって圧送された溶存水素水を、逆浸透膜によって浄化された処理水と、不純物を含む濃縮水とに分離して送出する。本実施形態において、逆浸透膜によって浄化処理された溶存水素水は、例えば、透析液調製用水の浄化基準であるＩＳＯ１３９５９の基準を満たし、透析液調製用水として透析原剤の希釈等に用いられる。なお、逆浸透膜モジュール８には、例えば、特開２０１１−３６７５２号公報等に開示されている公知の構成を適用することができる。
【００３２】
逆浸透膜を透過して浄化処理された溶存水素水は、送水路１５を介して希釈装置１００に供給され、透析原剤の希釈に用いられる。
【００３３】
一方、逆浸透膜モジュール８において、逆浸透膜を透過できなかった不純物を含む濃縮水は、濃縮水供給水路９を介して逆浸透膜モジュール８の外部に排出される。
【００３４】
本実施形態の電解水生成装置４では、濃縮水供給水路９の一端は逆浸透膜モジュール８の濃縮水排出口に、他端は陽極室６ａにそれぞれ接続されている。濃縮水供給水路９は、逆浸透膜モジュール８から排出された濃縮水を陽極室６ａに供給する。陽極室６ａと陰極室６ｂとは、隔膜６３によって隔離されているため、陽極室６ａ内の濃縮水に含まれる不純物は、陰極室６ｂに移動して処理水と混ざることはない。
【００３５】
既に述べたように、電解室６内での水の電気分解において、陽極室６ａでは酸素ガスが副次的に生成される。本実施形態では、陽極室６ａには、濃縮水供給水路９を介して濃縮水が継続的に供給されるので、発生した酸素ガスは、濃縮水に溶け込んで、濃縮水と共に陽極室６ａから排水路１３を介して排出される。従って、高い溶存水素濃度の溶存水素水を生成するときに大量発生する酸素ガスを安全な状態で電解水生成装置４から排出可能となる。さらに、逆浸透膜モジュール８から排出された濃縮水を濃縮水供給水路９を介して陽極室６ａに供給し、溶存酸素水を生成するために再利用しているので、水の利用効率を高めることが可能となる。
【００３６】
図１に示されるように、本実施形態では、陽極室６ａに水を供給する給水路は、濃縮水供給水路９のみである。従って、水の利用効率をより一層高めることが可能となる。なお、濃縮水の供給によっては陽極室６ａで発生する酸素ガスを十分に溶け込ませることができないおそれがある場合には、例えば、原水又は活性炭処理装置３を通過した水の一部を陽極室６ａに供給できるように構成してもよい。このような構成にあっても、濃縮水の再利用によって、水の利用効率を高めることが可能となる。
【００３７】
希釈装置１００は、例えば、製造装置１の外部に設けられている。希釈装置１００は、逆浸透膜モジュール８によって浄化された溶存水素水を用いて透析原剤を希釈する。希釈装置１００が溶存水素水を用いて透析原剤を希釈することにより、透析液が調製される。本実施形態では、透析原剤の希釈に用いられる溶存水素水は、陰極室６ｂにて生成された電解水である。なお、溶存水素水と混合される透析原剤の形態は、液体の他、粉末状であってもよい。粉末状の透析原剤は、溶存水素水に溶解し、透析液が調製される。
【００３８】
電解水生成装置４は、製造装置１に内蔵される形態に限られることなく、例えば、飲用の溶存水素水を生成する装置として単独でも使用可能である。
【００３９】
図２は、飲用の溶存水素水の生成に用いられる電解水生成装置４の一実施形態を示している。電解水生成装置４は、電解槽５と、加圧ポンプ７と、逆浸透膜モジュール８と、濃縮水供給水路９とを有している。電解槽５には、電気分解される水が流入する電解室６が形成されている。電解室６の内部には、陽極給電体６１及び陰極給電体６２が互いに対向して配置されている。電解室６は、陽極給電体６１と陰極給電体６２との間に配設された隔膜６３によって、陽極室６ａと陰極室６ｂとに区分されている。
【００４０】
この電解水生成装置４では、陰極室６ｂには原水が供給される。一方、陽極室６ａには、上記と同様に、逆浸透膜モジュール８から排出された濃縮水が供給される。これにより、電解室６内でそれぞれの水の電気分解が生じ、陰極室６ｂで溶存水素水が陽極室６ａで溶存酸素水がそれぞれ生成される。
【００４１】
陰極室６ｂで生成された溶存水素水は、送水路１２を介して加圧ポンプ７に送水される。十分な水圧の溶存水素水を逆浸透膜モジュール８に供給できる場合には、加圧ポンプ７は省略されていてもよい。この場合、溶存水素水が陰極室６ｂから逆浸透膜モジュール８に直接供給される。陰極室６ｂにおける電気分解と逆浸透膜モジュール８における濾過処理とによって、浄化処理された溶存水素水が得られる。
【００４２】
一方、陽極室６ａで濃縮水を電気分解することにより生じた酸素ガスは、濃縮水に溶け込んで、排水路１３を介して電解水生成装置４の外部に排出される。従って、陽極室６ａで発生する酸素ガスを安全な状態で電解水生成装置４から排出可能となる。さらに、これまで単に排出していた濃縮水を陽極室６ａに供給し、酸素ガスを溶け込ませて溶存酸素水を生成するために再利用しているので、水の利用効率を高めることが可能となる。
【００４３】
以下、本発明の別の実施形態が図面に基づき説明される。図３には、本発明の別の実施形態の製造装置１Ａが示されている。
【００４４】
本実施形態の透析液調製用水の製造装置１Ａは、上記電解水生成装置４に替えて電解水生成装置４Ａを備える点で製造装置１とは異なっている。
【００４５】
電解水生成装置４Ａは、加圧ポンプ７及び逆浸透膜モジュール８が電解槽５の上流側に設けられている点で、電解水生成装置４とは異なっている。本実施形態の透析液調製用水の製造装置１Ａ及び電解水生成装置４Ａのうち、以下で説明されてない部分については、上記透析液調製用水の製造装置１及び電解水生成装置４の構成が採用されうる。
【００４６】
製造装置１Ａでは、活性炭処理装置３を通過した水は、送水路２１を介して電解水生成装置４Ａの加圧ポンプ７に送られる。加圧ポンプ７によって加圧された水は、送水路２２を介して逆浸透膜モジュール８に供給される。
【００４７】
逆浸透膜モジュール８の逆浸透膜を透過して浄化された処理水は、送水路２３を介して陰極室６ｂに供給される。一方、逆浸透膜モジュール８において、逆浸透膜を透過できなかった不純物を含む濃縮水は、濃縮水供給水路９Ａを介して陽極室６ａに供給される。本実施形態においても、濃縮水供給水路９Ａの一端は逆浸透膜モジュール８の濃縮水排出口に、他端は陽極室６ａにそれぞれ接続されている。濃縮水供給水路９Ａは、逆浸透膜モジュール８から排出された濃縮水を陽極室６ａに供給する。
【００４８】
上記製造装置１と同様に、電解室６内でなされる電気分解によって、陰極室６ｂでは、水素ガスが発生し陰極室６ｂ内の処理水に溶け込む。従って、陰極室６ｂでは、浄化処理された溶存水素水が生成される。この浄化処理された溶存水素水は、送水路２４を介して希釈装置１００に供給される。
【００４９】
一方、陽極室６ａでは、酸素ガスが発生し陽極室６ａ内の濃縮水に溶け込む。従って、陽極室６ａでは、不純物を含む溶存酸素水が生成される。この不純物を含む溶存酸素水は、排水路２５を介して製造装置１Ａの外部に排出される。
【００５０】
本実施形態でも、陽極室６ａには、濃縮水供給水路９Ａを介して濃縮水が継続的に供給されるので、発生した酸素ガスは、濃縮水に溶け込んで、濃縮水と共に陽極室６ａから排水路２５を介して排出される。従って、高い溶存水素濃度の溶存水素水を生成するときに大量発生する酸素ガスを安全な状態で製造装置１Ａから排出可能となる。さらに、逆浸透膜モジュール８から排出された濃縮水を陽極室６ａに供給し、溶存酸素水を生成するために再利用しているので、水の利用効率を高めることが可能となる。
【００５１】
図３に示されるように、陽極室６ａに水を供給する給水路は、濃縮水供給水路９Ａのみである。従って、水の利用効率をより一層高めることが可能となる。なお、濃縮水の供給によっては陽極室６ａで発生する酸素ガスを十分に溶け込ませることができないおそれがある場合には、例えば、原水又は逆浸透膜モジュール８の逆浸透膜を通過した処理水の一部を陽極室６ａに供給できるように構成してもよい。このような構成にあっても、濃縮水の再利用によって、水の利用効率を高めることが可能となる。
【００５２】
本実施形態にあっても、電解水生成装置４Ａは、製造装置１Ａに内蔵される形態に限られることなく、例えば、飲用の溶存水素水を生成する装置として単独でも使用可能である。
【００５３】
図４は、飲用の溶存水素水の生成に用いられる電解水生成装置４Ａの一実施形態を示している。電解水生成装置４Ａは、加圧ポンプ７及び逆浸透膜モジュール８が電解槽５の上流側に設けられている点で、図２に示される電解水生成装置４とは異なっている。
【００５４】
この電解水生成装置４Ａでは、加圧ポンプ７には、原水が供給される。十分な水圧の原水を逆浸透膜モジュール８に供給できる場合には、加圧ポンプ７は省略されていてもよい。この場合、原水が逆浸透膜モジュール８に直接供給される。
【００５５】
逆浸透膜モジュール８の逆浸透膜を透過して浄化された処理水は、送水路２３を介して陰極室６ｂに供給される。一方、逆浸透膜モジュール８において、逆浸透膜を透過できなかった不純物を含む濃縮水は、濃縮水供給水路９Ａを介して陽極室６ａに供給される。
【００５６】
上記電解水生成装置４と同様に、陰極室６ｂでは、処理水の電気分解によって、水素ガスが発生し陰極室６ｂ内の処理水に溶け込む。従って、陰極室６ｂでは、浄化処理された溶存水素水が生成される。
【００５７】
一方、陽極室６ａでは、濃縮水の電気分解によって酸素ガスが発生し陽極室６ａ内の濃縮水に溶け込む。従って、陽極室６ａでは、不純物を含む溶存酸素水が生成される。この不純物を含む溶存酸素水は、排水路２５を介して電解水生成装置４Ａの外部に排出される。従って、陽極室６ａで発生する酸素ガスを安全な状態で電解水生成装置４Ａから排出可能となる。さらに、これまで単に排出していた濃縮水を陽極室６ａに供給し、酸素ガスを溶け込ませて溶存酸素水を生成するために再利用しているので、水の利用効率を高めることが可能となる。
【００５８】
以上のような構成を有する本願の第１発明に係る電解水生成装置４又は４Ａによれば、陰極室６ｂにおける電気分解と逆浸透膜モジュール８における濾過処理とによって、不純物が除去された溶存水素水が得られる。このとき陽極室６ａで副次的に生成される酸素ガスは、濃縮水供給水路９又は９Ａを介して供給された濃縮水に溶け込んで、陽極室６ａから排出される。従って、高い溶存水素濃度の溶存水素水を生成するときに発生する酸素ガスを安全な状態で電解水生成装置４等から排出可能となる。さらに、逆浸透膜モジュール８から排出された濃縮水を陽極室６ａに供給し、酸素ガスを溶け込ませて溶存酸素水を生成するために再利用しているので、水の利用効率を高めることが可能となる。
【００５９】
また、本願の第２発明の透析液調製用水の製造装置１又は１Ａによれば、上記電解水生成装置４又は４Ａによって生成された溶存水素水を用いて透析原剤を混合する透析液調製用水を製造する。これにより、水の利用効率を高めつつ、酸化ストレスの低減に有効な高い溶存水素濃度の透析液調製用水を製造することが可能となる。
【００６０】
以上、本発明の電解水生成装置４、４Ａ及び透析液調製用水の製造装置１、１Ａが詳細に説明されたが、本発明は上記の具体的な実施形態に限定されることなく種々の態様に変更して実施される。すなわち、電解水生成装置４、４Ａ及び透析液調製用水の製造装置１、１Ａは、少なくとも、電気分解される水が流入する電解室６が形成された電解槽５と、電解室６内で、互いに対向して配置された陽極給電体６１及び陰極給電体６２と、陽極給電体６１と陰極給電体６２との間に配され、かつ、電解室６を陽極給電体６１側の陽極室６ａと陰極給電体６２側の陰極室６ｂとに区分する隔膜６３と、水を濾過処理する逆浸透膜を有する逆浸透膜モジュール８と、逆浸透膜モジュール８から排出された濃縮水を陽極室６ａに供給する濃縮水供給水路９又は９Ａとを備えていればよい。
【符号の説明】
【００６１】
１    透析液調製用水の製造装置
４    電解水生成装置
５    電解槽
６    電解室
６ａ  陽極室
６ｂ  陰極室
８    逆浸透膜モジュール
９    濃縮水供給水路
９Ａ  濃縮水供給水路
６１    陽極給電体
６２    陰極給電体
６３    隔膜
【図１】
2016047257.tif 000003
【図２】
2016047257.tif 000004
【図３】
2016047257.tif 000005
【図４】
2016047257.tif 000006
【国際調査報告】
2016047257.tif 000007
2016047257.tif 000008
2016047257.tif 000009
2016047257.tif 000010